(57)【要約】【課題】使用者がポータブルトイレを移動するときに、便槽内の汚物等の外部への漏れ出しを抑えつつ容易に移動することが可能であると共に、使用者がポータブルトイレの便座に着座するときに、不意に移動することがない安定性が得られているキャスター付きのポータブルトイレを提供する。【解決手段】ポータブルトイレ１の脚部５０は、前方接点５２ａ（第一接点の一部）と、後方接点５２ｂ（第二接点の一部）と、後方接点５２ｂの後方側に配設され付勢部材により下方に付勢された車輪５３ａを有するキャスター５３とを備えている。ポータブルトイレ１の不使用時には、前方接点５２ａ及び車輪５３ａが床面Ｆに接地していると共に、後方接点５２ｂが床面Ｆから離間している。ポータブルトイレ１の使用時には、使用者の体重がキャスター５３の付勢部材の付勢力に抗することにより後方接点５２ｂが下降して、前方接点５２ａ及び後方接点５２ｂが床面Ｆに接地する。【選択図】図３
2013223557.tif 000002
【特許請求の範囲】
【請求項１】
便座及び便槽を有する本体部と、該本体部を下方から支持する脚部とを備えるポータブルトイレであって、
前記脚部は、前記本体部の重心よりも前方及び後方のうちのいずれか一方に設けられ床面に接地可能な第一接点と、該本体部の重心よりも前方及び後方のうちのいずれか他方に設けられ該床面に接地可能な第二接点と、該第二接点の他方側に配設され付勢部材により下方に付勢された車輪を有するキャスターと、を備え、
前記便座に使用者が着座していない前記ポータブルトイレの不使用時には、前記第一接点の少なくとも一部及び前記キャスターの前記車輪が前記床面に接地していると共に、前記第二接点が該床面から離間しており、
前記便座に使用者が着座している前記ポータブルトイレの使用時には、該使用者の体重が前記キャスターの前記付勢部材の付勢力に抗することにより前記第二接点が下降して、前記第一接点の少なくとも一部及び該第二接点の少なくとも一部が前記床面に接地しているポータブルトイレ。
【請求項２】
前記ポータブルトイレの不使用時における前記第二接点と前記床面との離隔は、５〜１５ｍｍとされている請求項１に記載のポータブルトイレ。
【発明の詳細な説明】
【技術分野】
【０００１】
本発明は、主に一般室内で使用されるポータブルトイレに関する。
【背景技術】
【０００２】
一般に、トイレ室内での排泄が困難な人には、一般室内でポータブルトイレが用いられている。ポータブルトイレは、重量が大きく、一人で容易に持ち運ぶことができないため、室内間を容易に移動できるように、脚部にキャスターが取り付けられたものがある。例えば、特許文献１及び２に開示されているキャスター付きのポータブルトイレを図７及び８に示す。
【０００３】
図７に示すポータブルトイレ８０は、本体部８１と、本体部８１の左右両側に取り付けられた左右一対の高さ調整可能な脚部８２とを備えている。脚部８２は、足踏み板である底板８３と、底板８３から立設された前後一対の支柱８４ａ、８４ｂと、後方の支柱８４ｂの内側の後下縁に取り付けられたキャスター８５とを備えている。底板８３の後端部には外側が幅広な足踏み部８３ａが設けられており、足踏み部８３ａの裏面には、上方に傾斜した傾斜部８３ｂが形成されている。キャスター８５の車輪８５ａは、ブラケット８５ｂを介して、床面Ｆよりも僅かに上方に浮いた位置に取り付けられている。
【０００４】
ポータブルトイレ８０を移動させるときには、背もたれ８６や肘掛け８７を手で引いてポータブルトイレ８０を後方に傾倒させるとともに、底板８３の足踏み部８３ａを足で踏むことによって、ポータブルトイレ８０を傾倒状態にして、床面Ｆに接地させたキャスター８５の車輪８５ａを使用してポータブルトイレ８０を移動させる。ポータブルトイレ８０の重量が大きい場合であっても、足踏み部８３ａの傾斜部８３ｂの下端を支点とするテコの原理によって、ポータブルトイレ８０を後方に傾倒させるのを容易に補助することができる。
【０００５】
図８に示すポータブルトイレ９０は、家具調椅子型の本体部９１と、傾動用アクチュエータ機構ＡＣを介して本体部９１を支持する左右一対の脚部９２とを備えている。脚部９２は、底板９３（水平支持体）と、底板９３から立設された前後一対の支柱９４ａ、９４ｂと、底板９３の下面に取り付けられた前後一対のキャスター９５、９５とを備えている。使用者がポータブルトイレ９０の便座に着座していないときには、図８に示すように、キャスター９５、９５によりポータブルトイレ９０が支持されている。使用者がポータブルトイレ９０の便座に着座すると、使用者の体重によりキャスター９５、９５の車輪９５ａ、９５ａが底板９３に没入して、底板９３が床面Ｆに接地する。
【０００６】
ポータブルトイレ９０は、傾動用アクチュエータ機構ＡＣの作動により本体部９１を前傾させることが可能であり、その結果、使用者の排泄時の着座・起立動作を機械力により若干の支援・介助することができる。ポータブルトイレ９０は、家具調椅子型の本体部９１に傾動用アクチュエータ機構ＡＣを組み込んでいるため、単なるポータブルトイレに比べ重量大となっている。このため、ポータブルトイレ９０の不使用時には、キャスター９５、９５によりポータブルトイレ９０を軽快に移動することが可能とされていると共に、使用時には、使用者の体重により車輪９５ａ、９５ａが没入して、底板９３によりポータブルトイレ９０を安定して支持することが可能とされている。
【先行技術文献】
【特許文献】
【０００７】
【特許文献１】特開２００５−１１０８１０号公報
【特許文献２】特開２００１−１９０４４８号公報
【発明の概要】
【発明が解決しようとする課題】
【０００８】
ポータブルトイレ８０においては、ポータブルトイレ８０を移動するときに、底板８３の傾斜部８３ｂの下端が床面Ｆの段差等の障害物に引っ掛からないようにするためには、ポータブルトイレ８０をある程度大きく後方に傾倒させる必要がある。このとき、本体部８１の便槽内に汚物等が入っている状態であれば、ポータブルトイレ８０の傾倒及びポータブルトイレ８０を移動するときの振動及び衝撃により、便槽内の汚物等が本体部８１の外部に漏れ出す虞がある。
【０００９】
一方、ポータブルトイレ９０においては、本体部９１の水平を保ってキャスター９５、９５によりポータブルトイレ９０を軽快に移動することが可能であるため、ポータブルトイレ９０の移動中に便槽内の汚物等が本体部９１の外部に漏れ出す虞が小さい。ところが、ポータブルトイレ９０においては、使用者の着座が完了するまでの間は、ポータブルトイレ９０の安定性がなく容易に動いてしまう。このため、使用者がポータブルトイレ９０の便座に着座しようとしたときに、ポータブルトイレ９０が不意に動いて、使用者に不安感を与える虞がある。
【００１０】
本発明は、上記した実情に鑑みてなされたものであり、使用者がポータブルトイレを移動するときに、便槽内の汚物等の外部への漏れ出しを抑えつつ容易に移動することが可能であると共に、使用者がポータブルトイレの便座に着座するときに、不意に移動することがない安定性が得られているキャスター付きのポータブルトイレを提供することを課題とする。
【課題を解決するための手段】
【００１１】
上記の課題を解決するため、請求項１に係るポータブルトイレの構成上の特徴は、便座及び便槽を有する本体部と、該本体部を下方から支持する脚部とを備えるポータブルトイレであって、前記脚部は、前記本体部の重心よりも前方及び後方のうちのいずれか一方に設けられ床面に接地可能な第一接点と、該本体部の重心よりも前方及び後方のうちのいずれか他方に設けられ該床面に接地可能な第二接点と、該第二接点の他方側に配設され付勢部材により下方に付勢された車輪を有するキャスターと、を備え、前記便座に使用者が着座していない前記ポータブルトイレの不使用時には、前記第一接点の少なくとも一部及び前記キャスターの前記車輪が前記床面に接地していると共に、前記第二接点が該床面から離間しており、前記便座に使用者が着座している前記ポータブルトイレの使用時には、該使用者の体重が前記キャスターの前記付勢部材の付勢力に抗することにより前記第二接点が下降して、前記第一接点の少なくとも一部及び該第二接点の少なくとも一部が前記床面に接地していることである。
【００１２】
請求項２に係る発明の構成上の特徴は、請求項１に記載のポータブルトイレにおいて、前記ポータブルトイレの不使用時における前記第二接点と前記床面との離隔は、５〜１５ｍｍとされていることである。
【発明の効果】
【００１３】
請求項１に係るポータブルトイレによれば、ポータブルトイレの不使用時には、本体部を支持する脚部の第一接点の少なくとも一部及びキャスターの車輪が床面に接地している。よって、第一接点の少なくとも一部と床面との摩擦により、ポータブルトイレが容易に動かないように安定化が図られている。したがって、使用者がポータブルトイレの便座に着座するときに、ポータブルトイレが不意に移動する虞が小さく、使用者に不安感を与える虞が小さい。
【００１４】
また、ポータブルトイレの不使用時の状態から移動時の状態にするには、ポータブルトイレの第一接点側を僅かに持ち上げて、第一接点及び第二接点の両方が床面から離間した状態にするとよい。これにより、付勢部材により下方に付勢されたキャスターの車輪のみが床面に接地した状態にすることができる。このとき、第一接点及び第二接点と床面との離隔を同程度に保てば、本体部の水平を保ってキャスターによりポータブルトイレを軽快に移動することが可能である。また、キャスターの車輪が付勢部材により下方に付勢されているため、車輪が床面の段差等を乗り越えるときに本体部に加わる振動及び衝撃が付勢部材で吸収される。したがって、使用者がポータブルトイレを移動するときに、便槽内の汚物等の外部への漏れ出しを抑えつつ容易に移動することが可能である。
【００１５】
また、請求項１に係るポータブルトイレによれば、ポータブルトイレの使用時には、使用者の体重により第二接点が下降して、第一接点の少なくとも一部及び第二接点の少なくとも一部が床面に接地している。このとき、キャスターの車輪は床面に接地していても床面から離間していてもよい。ポータブルトイレの使用時に第一接点の少なくとも一部及び第二接点の少なくとも一部が床面に接地していることによって、ポータブルトイレを安定して支持することが可能である。
【００１６】
なお、請求項１における「第一接点」及び「第二接点」とは、長さや面積を持たない幾何学的な点のことを表しているのではなく、床面に接地可能な脚部の部位のことを表している。したがって、「第一接点」及び「第二接点」には、床面と点接触する点のほか、床面と線接触する線や、床面と面接触する面も含まれている。また、「第一接点」及び「第二接点」の点数（箇所数）の制限はなく、例えば、「第一接点」及び「第二接点」を、それぞれ床面との接触面積が大きい１点とすることが可能であるし、それぞれ床面との接触面積が小さい複数点とすることも可能である。
【００１７】
また、「第一接点」及び「第二接点」は、本体部の重心を挟んで前後に離間して設けられていることに限定されず、本体部の重心を挟んで前後に隣接して連続的に設けられていてもよい。また、ポータブルトイレの不使用時及び使用時において、第一接点の少なくとも一部が床面に接地しているが、「一部」は第一接点の特定の一部分を指していることに限定されない。ポータブルトイレの不使用時と使用時とで第一接点のそれぞれ異なる部分が床面に接地していてもよい。また、ポータブルトイレの使用時において、第二接点の少なくとも一部が床面に接地しているが、床面の凹凸によっては第二接点の全体が床面に接地せずに一部のみが床面に接地する場合もある。
【００１８】
請求項２に係るポータブルトイレによれば、ポータブルトイレの不使用時における第二接点と床面との離隔は、５〜１５ｍｍとされている。この離隔が５ｍｍ以上であれば、ポータブルトイレの移動時において、第二接点が床面の段差等の障害物に引っ掛かることを好適に防止することができる。また、この離隔が１５ｍｍ以内であれば、使用者がポータブルトイレの便座に着座するときの便座の沈み込み量が小さく、使用者に不安感を与える虞が小さい。
【００１９】
以上のように、本発明によれば、使用者がポータブルトイレを移動するときに、便槽内の汚物等の外部への漏れ出しを抑えつつ容易に移動することが可能であると共に、使用者がポータブルトイレの便座に着座するときに、不意に移動することがない安定性が得られているキャスター付きのポータブルトイレを提供することができる。
【図面の簡単な説明】
【００２０】
【図１】本発明の一実施形態のポータブルトイレを左斜め前方から見た外観斜視図である。
【図２】本発明の一実施形態のポータブルトイレを左斜め後方から見た外観斜視図である。
【図３】本発明の一実施形態のポータブルトイレを左方から見た側面図であって、ポータブルトイレの不使用時の状態を示している。
【図４】図２に示したポータブルトイレに備わるキャスターを拡大して説明する斜視図である。
【図５】図４に示したポータブルトイレに備わるキャスターを左右方向の中心位置で切断した断面図であって、ポータブルトイレの不使用時の状態を示している。
【図６】図４に示したポータブルトイレに備わるキャスターを左右方向の中心位置で切断した断面図であって、ポータブルトイレの使用時（着座時）の状態を示している。
【図７】従来技術のキャスター付きのポータブルトイレの側面図である。
【図８】他の従来技術のキャスター付きのポータブルトイレの側面図であって、本体部の内部の一部が見えるように示している。
【発明を実施するための形態】
【００２１】
図１〜６に基づき、本発明の一実施形態によるポータブルトイレについて説明する。なお、説明中における上、下、左、右、前、後とは、図１〜６に示す上、下、左、右、前、後のことであり、便座に着座した使用者にとっての上、下、左、右、前、後を指している。図１は、ポータブルトイレ１を左斜め前方から見た外観斜視図を示している。図１における上下方向は紙面平行方向、左方向及び前方向は紙面手前方向、右方向及び後方向は紙面奥方向に向いている。図２は、ポータブルトイレ１を左斜め後方から見た外観斜視図を示している。図２における上下方向は紙面平行方向、左方向及び後方向は紙面手前方向、右方向及び前方向は紙面奥方向に向いている。
【００２２】
図３は、ポータブルトイレ１を左方から見た側面図であって、ポータブルトイレ１の不使用時の状態を示している。図４は、図２に示したポータブルトイレ１に備わるキャスター５３を拡大して説明する斜視図を示している。図５は、キャスター５３を左右方向の中心位置で切断した断面図であって、ポータブルトイレ１の不使用時の状態を示している。図６は、キャスター５３の断面図であって、ポータブルトイレ１の使用時（着座時）の状態を示している。
【００２３】
図１及び２に示すように、ポータブルトイレ１は、本体部１０と、背もたれ３０と、左右一対の肘掛け４０、４０と、本体部１０を下方から支持する左右一対の脚部５０、５０と、を備えている。本体部１０は、使用者が着座する便座１１と、汚物等を溜める便槽１２と、人体局部に洗浄水を噴射する洗浄装置１３と、洗浄装置１３に供給する洗浄水を貯留する水タンク１４と、を備えている。本体部１０の詳細については、従来の洗浄装置付きポータブルトイレを参照できるため、説明を省略する。
【００２４】
本体部１０の左側面及び右側面の各前方には、左右一対の支柱２０ａ、２０ａが取り付けられている。本体部１０の左側面及び右側面の各後方には、左右一対の支柱２０ｂ、２０ｂが取り付けられている。支柱２０ｂ、２０ｂの各上端は、支柱２０ａ、２０ａの各上端よりも高い位置まで延びている。便座１１に着座した使用者の背中を後方から支える背もたれ３０は、左右一対の支柱２０ｂ、２０ｂの各上端を繋ぐように取り付けられている。便座１１に着座した使用者の肘を下方から支える肘掛け４０は、前方の支柱２０ａの上端と後方の支柱２０ｂの中間部とを繋ぐように取り付けられている。
【００２５】
左右一対の脚部５０、５０は、本体部１０の左側面及び右側面のそれぞれに取り付けられている。左右一対の脚部５０、５０の構造は、左右対称であるため、以下、本体部１０の左側面に取り付けられている脚部５０について説明し、本体部１０の右側面に取り付けられている脚部５０についての説明は省略する。図３に示すように、脚部５０は、本体部１０の左側面に取り付けられた前後一対の支柱５１ａ、５１ｂと、前後一対の支柱５１ａ、５１ｂの各下端を繋ぐように取り付けられた底板５２と、底板５２の後端に取り付けられたキャスター５３と、を備えている。
【００２６】
底板５２は、前後方向に長い棒状部材である。底板５２の上下方向の厚さは、ほぼ均一厚さであり、底板５２の上面及び下面は、ほぼ平坦な面となっている。底板５２の上面が前後一対の支柱５１ａ、５１ｂの各下端に固定されている。図３に示すように、便座１１に使用者が着座していないポータブルトイレ１の不使用時には、底板５２の平坦な下面のうちで最前方の前方接点５２ａ（第一接点の一部）のみが床面Ｆに接地している。図示していないが、便座１１に使用者が着座しているポータブルトイレ１の使用時には、底板５２の平坦な下面の全体が床面Ｆに接地する。
【００２７】
底板５２の下面の床面Ｆに接地可能な全範囲のうちで、最前方の前方接点５２ａは、本体部１０の重心Ｇよりも前方に位置しており、最後方の後方接点５２ｂ（第二接点の一部）は、本体部１０の重心Ｇよりも後方に位置している。図４及び５に示すように、底板５２の後下縁には、前方に向かってかつ上方に向かって凹設された、左方から見てＬ字状を呈する凹部５２ｃが形成されている。
【００２８】
図４〜６に示すように、キャスター５３は、底板５２の後端と後方の支柱５１ｂの後下縁とに跨って取り付けられている。キャスター５３は、車輪５３ａと、内側ブラケット５３ｂと、外側ブラケット５３ｃと、ガイドピン５３ｄと、ピン５３ｅと、圧縮コイルバネ５３ｆ（付勢部材）と、カバー５３ｇと、を備えている。なお、図４は、キャスター５３の内部構造を説明するために、カバー５３ｇを取り外した状態を示している。
【００２９】
車輪５３ａは、軸方向が左右方向に向いた回転軸５３ａ１を中心として、前後方向に鉛直回転可能とされている。車輪５３ａの回転軸５３ａ１の各端部は、内側ブラケット５３ｂに形成された後述する左右一対の保持穴５３ｂ４、５３ｂ４に、それぞれ回転可能に保持されている。車輪５３ａの外周面の下端は、ポータブルトイレ１の移動時、不使用時及び使用時に、常に床面Ｆに接地している。図３及び４に示すように、車輪５３ａの回転軸５３ａ１よりも後方は、脚部５０の左右及び後方に露出している。
【００３０】
内側ブラケット５３ｂは、左右一対の側板５３ｂ１、５３ｂ１と、両側板５３ｂ１、５３ｂ１の上端同士を繋ぐ上板５３ｂ２とを有する一体成形品である。図４に示すように、内側ブラケット５３ｂは、後方から見てコ字状の凹部を下方に向けた背面形状を呈しており、１枚の金属板を直角に曲げ加工することにより形成されている。図５及び６に示すように、側板５３ｂ１は、左方から見てＬ字状を呈している。側板５３ｂ１のＬ字状の一方の面は上下方向に長く延び、面の中央部付近には円形の保持穴５３ｂ３が形成されている。また、側板５３ｂ１のＬ字状の他方の面は前後方向に長く延び、面の後方寄りには円形の保持穴５３ｂ４が形成されている。上板５３ｂ２は、上方から見て矩形状を呈しており、面の中央部には円形の保持穴５３ｂ５が形成されている。
【００３１】
外側ブラケット５３ｃは、左右一対の側板５３ｃ１、５３ｃ１と、両側板５３ｃ１、５３ｃ１の前端同士を繋ぐ前板５３ｃ２と、前板５３ｃ２の上端から後方に延びる上板５３ｃ３と、前板５３ｃ２の下端から前方に延びる下板５３ｃ４とを有する一体成形品である。外側ブラケット５３ｃは、１枚の金属板を直角に曲げ加工することにより形成されている。側板５３ｃ１は、左方から見て上下方向に長い矩形状を呈しており、内側ブラケット５３ｂの上述した保持穴５３ｂ３に対応する位置には上下方向に長い長穴状のガイド穴５３ｃ５が形成されている。前板５３ｃ２は、後方から見て上下方向に長い矩形状を呈しており、面の中央部付近には円形の取付け穴５３ｃ６が形成されている。上板５３ｃ３は、上方から見て矩形状を呈しており、面の中央部には円形の保持穴５３ｃ７が形成されている。下板５３ｃ４は、上方から見て前後方向に長い矩形状を呈しており、面の中央部付近には円形の取付け穴５３ｃ８が形成されている。
【００３２】
図５に示すように、外側ブラケット５３ｃの前板５３ｃ２の上方部は、後方の支柱５１ｂの後下縁に当接しており、外側ブラケット５３ｃの前板５３ｃ２の下方部及び下板５３ｃ４は、Ｌ字状を呈する凹部５２ｃの底部に当接している。外側ブラケット５３ｃは、取付け穴５３ｃ６を利用して、後方の支柱５１ｂにネジ止め固定されている。また、外側ブラケット５３ｃは、取付け穴５３ｃ８を利用して、下方より底板５２の後下縁にネジ止め固定されている。したがって、外側ブラケット５３ｃは、後方の支柱５１ｂ及び底板５２を介して本体部１０に固定されており、本体部１０と一体に動く。
【００３３】
図４及び５に示すように、外側ブラケット５３ｃの左右一対の側板５３ｃ１、５３ｃ１と、前板５３ｃ２と、上板５３ｃ３とに囲まれた凹部内に、内側ブラケット５３ｂが挿入されている。また、外側ブラケット５３ｃの側板５３ｃ１と、内側ブラケット５３ｂの側板５３ｂ１との隙間、及び外側ブラケット５３ｃの前板５３ｃ２と、内側ブラケット５３ｂの側板５３ｂ１の前端との隙間は極僅かとされている。そして、外側ブラケット５３ｃの左右一対のガイド穴５３ｃ５、５３ｃ５、及び内側ブラケット５３ｂの左右一対の保持穴５３ｂ３、５３ｂ３に一本のガイドピン５３ｄが挿入されている。ガイドピン５３ｄは、ガイド穴５３ｃ５の上端から下端までの範囲を上下方向に摺動可能とされている。
【００３４】
これにより、内側ブラケット５３ｂは、外側ブラケット５３ｃの側壁５３ｃ１及び前板５３ｃ２と、ガイド穴５３ｃ５及びガイドピン５３ｄの組み合わせとにより、前後左右方向への動きと回転とが規制されている。よって、内側ブラケット５３ｂは、ガイドピン５３ｄの摺動可能な範囲内で、外側ブラケット５３ｃの凹部内を上下方向に摺動可能とされている。
【００３５】
内側ブラケット５３ｂの上板５３ｂ２に形成された保持穴５３ｂ５、及び外側ブラケット５３ｃの上板５３ｃ３に形成された保持穴５３ｃ７には、一本のピン５３ｅが挿入されている。内側ブラケット５３ｂが最も下方に摺動している状態において、内側ブラケット５３ｂの上板５３ｂ２と、外側ブラケット５３ｃの上板５３ｃ３との間には、圧縮コイルバネ５３ｆが圧縮状態で挟持されている。よって、キャスター５３の車輪５３ａは、内側ブラケット５３ｂを介して圧縮コイルバネ５３ｆにより下方に付勢されている。圧縮コイルバネ５３ｆが車輪５３ａを下方に付勢する付勢力（以下、初期付勢力と呼ぶ）は、ポータブルトイレ１の全重量と同程度とされている。ピン５３ｅが圧縮コイルバネ５３ｆの中心に緩挿されていることによって、圧縮コイルバネ５３ｆの抜け落ちが防止されている。
【００３６】
カバー５３ｇは、左方から見てＬ字状を呈しており、１枚の金属板を直角に曲げ加工することにより形成されている。または、Ｌ字状に成形されたプラスチック部材により形成されている。カバー５３ｇは、Ｌ字状の角部を上斜め後方に向けた状態で、外側ブラケット５３ｃの両側板５３ｃ１、５３ｃ１の上方部に、上方かつ後方から被せられている。これにより、圧縮コイルバネ５３ｆが外部から視認できないようになっている。
【００３７】
図３、５及び６に基づいて、キャスター５３の動作を説明する。図３及び５に示すように、便座１１に使用者が着座していないポータブルトイレ１の不使用時には、底板５２の前方接点５２ａ及びキャスター５３の車輪５３ａが床面Ｆに接地している。底板５２の後方接点５２ｂは、床面Ｆから離間しており、後方接点５２ｂと床面Ｆとの離隔Ｃは、１０ｍｍ程度とされている。ポータブルトイレ１の不使用時には、ポータブルトイレ１の全重量の半分程度の荷重が圧縮コイルバネ５３ｆに圧縮力として作用する。この圧縮力は、圧縮コイルバネ５３ｆが車輪５３ａを下方に付勢する初期付勢力よりも小さいため、この圧縮力により圧縮コイルバネ５３ｆが圧縮されることはない。
【００３８】
ポータブルトイレ１の移動時には、使用者は、例えば、両肘掛け４０、４０を手で掴んで、ポータブルトイレ１の前方を僅かに持ち上げて、底板５２の前方接点５２ａ及び後方接点５２ｂの両方が床面Ｆから離間した状態とすればよい。これにより、キャスター５３の車輪５３ａのみが床面Ｆに接地している状態となる。ポータブルトイレ１の移動時には、ポータブルトイレ１の全重量の半分程度の荷重と、ポータブルトイレ１の移動時の振動及び衝撃に伴う慣性力及び衝撃力とが圧縮コイルバネ５３ｆに圧縮力として作用する。通常、この圧縮力は、上述した初期付勢力よりも小さいため、この圧縮力により圧縮コイルバネ５３ｆが圧縮されることはない。ただし、ポータブルトイレ１に大きな振動及び衝撃が作用した場合には、上記の圧縮力が、上述した初期付勢力を上回って、圧縮コイルバネ５３ｆが一時的に圧縮される。
【００３９】
図６に示すように、便座１１に使用者が着座しているポータブルトイレ１の使用時には、ポータブルトイレ１の全重量の半分程度の荷重と、使用者の体重とが圧縮コイルバネ５３ｆに圧縮力として作用する。この圧縮力は、上述した初期付勢力を上回っているため、圧縮コイルバネ５３ｆが圧縮される。圧縮コイルバネ５３ｆが圧縮されることによって、底板５２の後方接点５２ｂが下降して、前方接点５２ａから後方接点５２ｂまでの底板５２の平坦な下面の全体が床面Ｆに接地する。
【００４０】
なお、図６に示すポータブルトイレ１の使用時において、ガイドピン５３ｄは、ガイド穴５３ｃ５の上端まで到達しておらず、圧縮コイルバネ５３ｆの付勢力に抗してキャスター５３の車輪５３ａを更に若干上昇させることが可能となっている。これにより、床面Ｆに若干の凸部がある場合であっても、凸部に応じて車輪５３ａが上昇可能であるため、後方接点５２ｂを床面Ｆに確実に接地させることが可能となっている。
【００４１】
本実施形態のポータブルトイレ１によれば、ポータブルトイレ１の不使用時には、本体部１０を支持する脚部５０の底板５２の前方接点５２ａ及びキャスター５３の車輪５３ａが床面Ｆに接地している。よって、前方接点５２ａと床面Ｆとの摩擦により、ポータブルトイレ１が容易に動かないように安定化が図られている。したがって、使用者がポータブルトイレ１の便座１１に着座するときに、ポータブルトイレ１が不意に移動する虞が小さく、使用者に不安感を与える虞が小さい。
【００４２】
また、本実施形態のポータブルトイレ１によれば、ポータブルトイレ１の移動時には、圧縮コイルバネ５３ｆにより下方に付勢されたキャスター５３の車輪５３ａのみが床面Ｆに接地している。このとき、底板５２の前方接点５２ａ及び後方接点５２ｂと床面Ｆとの離隔Ｃを同程度に保てば、本体部１０の水平を保ってキャスター５３によりポータブルトイレ１を軽快に移動することが可能である。また、キャスター５３の車輪５３ａが圧縮コイルバネ５３ｆにより下方に付勢されているため、車輪５３ａが床面Ｆの段差等を乗り越えるときに本体部１０に加わる振動及び衝撃が圧縮コイルバネ５３ｆで吸収される。したがって、使用者がポータブルトイレ１を移動するときに、便槽１２内の汚物等の外部への漏れ出しを抑えつつ容易に移動することが可能である。
【００４３】
また、本実施形態のポータブルトイレ１によれば、ポータブルトイレ１の使用時には、使用者の体重により底板５２の後方接点５２ｂが下降して、前方接点５２ａから後方接点５２ｂまでの底板５２の平坦な下面の全体が床面Ｆに接地している。ここで、前方接点５２ａは、本体部１０の重心Ｇよりも前方に位置しており、後方接点５２ｂは、本体部１０の重心Ｇよりも後方に位置している。したがって、ポータブルトイレ１を脚部５０で安定して支持することが可能である。
【００４４】
また、本実施形態のポータブルトイレ１によれば、ポータブルトイレ１の不使用時における底板５２の後方接点５２ｂと床面Ｆとの離隔Ｃは、１０ｍｍ程度とされている。この離隔Ｃが５ｍｍ以上とされているため、ポータブルトイレ１の移動時において、後方接点５２ｂが床面Ｆの段差等の障害物に引っ掛かることを好適に防止することができる。また、この離隔Ｃが１５ｍｍ以内とされているため、使用者がポータブルトイレ１の便座１１に着座するときの便座１１の沈み込み量が小さく、使用者に不安感を与える虞が小さい。
【００４５】
本発明のポータブルトイレは、上述した実施形態に限定されるものではなく、本発明の要旨を逸脱しない範囲において、当業者が行い得る変更、改良等を施した種々の形態にて実施することができることは言うまでもない。
【００４６】
例えば、本実施形態においては、脚部５０の底板５２の下面が平坦であるため、床面Ｆに接地可能な前方接点５２ａ及び後方接点５２ｂが平坦な連続面に設けられている。しかし、前方接点５２ａ及び後方接点５２ｂは、平坦な連続面に設けられることに限定されず、前方接点と後方接点とを前後に離間した面に設けてもよい。また、前方接点及び後方接点の面積についても限定されない。
【００４７】
また、本実施形態においては、前方接点５２ａが底板５２の平坦な下面の最前方に設けられているため、ポータブルトイレ１の不使用時及び使用時において、前方接点５２ａが常に床面Ｆに接地している。しかし、ポータブルトイレの不使用時と使用時とで底板の前方のそれぞれ異なる部分が床面に接地する構成であってもよい。例えば、底板の下面の最前方に僅かな上方に傾いた傾斜部が形成されている場合や、底板の下面の前方が緩やかに上方に反っている場合には、ポータブルトイレの不使用時と使用時とで底板の前方のそれぞれ異なる部分が床面に接地する場合がある。
【００４８】
また、本実施形態においては、ポータブルトイレ１の後方側のみキャスター５３を備えているが、ポータブルトイレの前方側のみにキャスターを備える構成とすることもできる。また、本実施形態においては、左右一対のキャスター５３、５３を備えているが、キャスター５３の配置は、左右一対に限定されない。例えば、左右一対の底板５２、５２の後端同士を繋ぐ棒状部材を配置して、この棒状部材の左右の中央部に１個のキャスター、又はこの棒状部材に２個以上の複数個のキャスターを備える構成とすることもできる。
【００４９】
また、本実施形態においては、ポータブルトイレ１の不使用時における底板５２の後方接点５２ｂと床面Ｆとの離隔Ｃを１０ｍｍ程度としているが、離隔Ｃは１０ｍｍ程度に限定されない。床面Ｆの段差等のポータブルトイレ１の使用環境を勘案した上で、離隔Ｃを５〜１５ｍｍの範囲で適宜設定することができる。
【符号の説明】
【００５０】
１      …  ポータブルトイレ            １０    …  本体部
１１    …  便座                        １２    …  便槽
５０    …  脚部                        ５２ａ  …  前方接点（第一接点の一部）
５２ｂ  …  後方接点（第二接点の一部）  ５３    …  キャスター
５３ａ  …  車輪                        ５３ｆ  …  圧縮コイルバネ（付勢部材）
Ｃ      …  離隔                        Ｆ      …  床面
Ｇ      …  重心
【図１】
2013223557.tif 000003
【図２】
2013223557.tif 000004
【図３】
2013223557.tif 000005
【図４】
2013223557.tif 000006
【図５】
2013223557.tif 000007
【図６】
2013223557.tif 000008
【図７】
2013223557.tif 000009
【図８】
2013223557.tif 000010